(57)【要約】【課題】  通常の戸車を有する雨戸でありながら戸袋内から奥側の雨戸を引き出す際に動きが軽くなり容易に雨戸を引き出すことができる雨戸装置を提供する。【解決手段】  建物の躯体２の開口部３に設けられる上枠４ａ、下枠４ｂ及び左右の縦枠４ｃ，４ｄからなる枠４と、その上枠４ａ及び下枠４ｂの室外側に設けられ雨戸５を開閉移動可能に案内する上下の雨戸案内部６ａ，６ｂと、該雨戸案内部６ａ，６ｂの一端側の躯体２に設けられ複数枚の雨戸５を重ねて収納する戸袋７とを備え、前記雨戸５は下部に戸車１１を有し、前記戸袋７の底板２０上に戸袋５の奥側隅部から戸閉め方向Ｂ及び室内方向Ｃに下降傾斜した案内面２６ａ，２６ｂを有する案内部材２６を設け、前記雨戸５の戸袋側の端部に、雨戸５を戸袋７内から引き出す際に、戸袋側の戸車１１を浮かせた状態に保持して前記案内面２６ａ，２６ｂ上を円滑に移動する円滑移動部材２７を設けている。【選択図】          図７
2006291640.tif 000002
【特許請求の範囲】
【請求項１】
建物の躯体の開口部に設けられる上枠、下枠及び左右の縦枠からなる枠と、その上枠及び下枠の室外側に設けられ雨戸を開閉移動可能に案内する上下の雨戸案内部と、該雨戸案内部の一端側の躯体に設けられ複数枚の雨戸を重ねて収納する戸袋とを備えた雨戸装置であって、前記雨戸は下部に戸車を有し、前記戸袋の底板上に戸袋の奥側隅部から戸閉め方向及び室内方向に下降傾斜した案内面を有する案内部材を設け、前記雨戸の戸袋側の端部に、雨戸を戸袋内から引き出す際に、戸袋側の戸車を浮かせた状態に保持して前記案内面上を円滑に移動する円滑移動部材を設けたことを特徴とする雨戸装置。
【発明の詳細な説明】
【技術分野】
【０００１】
本発明は、雨戸装置に係り、特に雨戸を戸袋内から引き出すときの動きを軽くする技術に関する。
【背景技術】
【０００２】
一般的に雨戸装置は、建物の躯体の開口部に設けられる上枠、下枠及び左右の縦枠からなる枠と、その上枠及び下枠の室外側に設けられ雨戸を開閉移動可能に案内する上下の雨戸案内部と、該雨戸案内部の一端側の躯体に設けられ複数枚の雨戸を重ねて収納する戸袋とを備えている。また、前記雨戸は下部に戸車を有している。
【０００３】
ところで、雨戸装置においては、雨戸を戸袋内から引き出すときに、特に奥側に収納される雨戸ほど動きが重くなり、引き出しにくいという問題がある。このような問題を解決しようとするために、戸車を、戸体に固定される受け部材と、該受け部材の受け部に任意の方向に回転可能に把持された球体とにより構成した雨戸が提案されている（実開昭６３−１７７５９７号公報参照）。この雨戸によれば、球体が任意の方向に回転可能であるため、戸袋内の奥側の雨戸を引き出すときに動きを軽くすることが可能となる。
【０００４】
【特許文献１】実開昭６３−１７７５９７号公報
【発明の開示】
【発明が解決しようとする課題】
【０００５】
しかしながら、前記雨戸においては、球体を転がらせるため、下部の雨戸案内部である戸溝にはレールを設けることができず、戸溝内を球体が転がる構造となるため、戸溝内にごみが溜まると球体が転がりにくくなり、雨戸を開閉しにくくなるという問題がある。
【０００６】
このような問題を解消するには、通常の戸車を採用してレール上を走行させるようにすることが好ましい。しかしながら、通常の戸車を有する雨戸においては、前述したように戸袋内から奥側の雨戸を引き出す際に、奥側（戸袋側）の戸車が横滑りしながら雨戸案内部の延長線上まで移動するため、その時の摩擦抵抗で雨戸の動きが重くなり、操作性が悪いという問題がある。
【０００７】
本発明は、上記事情を考慮してなされたものであり、通常の戸車を有する雨戸でありながら戸袋内から奥側の雨戸を引き出す際に動きが軽くなり容易に雨戸を引き出すことができ、操作性の向上が図れる雨戸装置を提供することを目的とする。
【課題を解決するための手段】
【０００８】
本発明は、建物の躯体の開口部に設けられる上枠、下枠及び左右の縦枠からなる枠と、その上枠及び下枠の室外側に設けられ雨戸を開閉移動可能に案内する上下の雨戸案内部と、該雨戸案内部の一端側の躯体に設けられ複数枚の雨戸を重ねて収納する戸袋とを備えた雨戸装置であって、前記雨戸は下部に戸車を有し、前記戸袋の底板上に戸袋の奥側隅部から戸閉め方向及び室内方向に下降傾斜した案内面を有する案内部材を設け、前記雨戸の戸袋側の端部に、雨戸を戸袋内から引き出す際に、戸袋側の戸車を浮かせた状態に保持して前記案内面上を円滑に移動する円滑移動部材を設けたことを特徴とする。
【発明の効果】
【０００９】
本発明によれば、建物の躯体の開口部に設けられる上枠、下枠及び左右の縦枠からなる枠と、その上枠及び下枠の室外側に設けられ雨戸を開閉移動可能に案内する上下の雨戸案内部と、該雨戸案内部の一端側の躯体に設けられ複数枚の雨戸を重ねて収納する戸袋とを備えた雨戸装置であって、前記雨戸は下部に戸車を有し、前記戸袋の底板上に戸袋の奥側隅部から戸閉め方向及び室内方向に下降傾斜した案内面を有する案内部材を設け、前記雨戸の戸袋側の端部に、雨戸を戸袋内から引き出す際に、戸袋側の戸車を浮かせた状態に保持して前記案内面上を円滑に移動する円滑移動部材を設けているため、通常の戸車を有する雨戸でありながら戸袋内から奥側の雨戸を引き出す際に動きが軽くなり容易に雨戸を引き出すことが可能となり、操作性の向上が図れる。また、戸車が下部の雨戸案内部のレール上を走行する構造であるため、戸溝にごみが溜まっても雨戸の開閉が阻害される恐れがなく、雨戸の開閉操作性を維持することができる。
【発明を実施するための最良の形態】
【００１０】
以下に、本発明を実施するための最良の形態について、添付図面を基に詳述する。図１は本発明の実施の形態にかかる雨戸装置の概略的構成を示す縦断面図、図２は同雨戸装置の概略的構成を示す横断面平面図、図３は戸袋の縦断面図である。
【００１１】
図１ないし図２において、１は雨戸装置で、この雨戸装置１は、建物の躯体２の開口部３に設けられる上枠４ａ、下枠４ｂ及び左右の縦枠４ｃ，４ｄからなる枠４と、その上枠４ａ及び下枠４ｂの室外側に設けられ雨戸５を開閉移動可能に案内する上下の雨戸案内部６ａ，６ｂと、該雨戸案内部６ａ，６ｂの一端側の躯体２に設けられ複数枚の雨戸５を重ねて収納する戸袋７とを備えている。
【００１２】
前記枠４は、躯体２に対して外付け又は半外付けタイプのサッシ枠からなる。枠４を構成する上枠４ａ、下枠４ｂ及び左右の縦枠４ｃ，４ｄは、例えばアルミニウム合金の押出形材からなっている。枠４内には引違い式の内外の障子８，９が横方向にスライド開閉可能に設けられている。また、枠４内には障子８，９の外側であって雨戸５の内側に位置させて網戸１０が横方向にスライド移動可能に設けられている。
【００１３】
雨戸５は下部すなわち戸体の下部に戸車１１を２つ有している。雨戸（すなわち戸体）５は、上框１２ａ、下框１２ｂ及び左右の縦框１２ｃ，１２ｄからなる框１２と、該框１２内に装着された面材１３とからなる。面材１３は断熱材１４を有していてもよい。
【００１４】
上下の雨戸案内部６ａ，６ｂは、断面略Ｕ字状の戸溝として形成され、下部の雨戸案内部６ｂには戸車１１を案内し、走行させるレール１５が設けられている。上下の雨戸案内部６ａ，６ｂは、上枠４ａと下枠４ｂの室外側に一体に形成されているが、別体で設けられていてもよい。
【００１５】
前記戸袋７とは反対側の縦枠４ｄの室外側には、戸袋７から最初に引き出される一枚目の雨戸５の戸先部が当接させる戸当り枠１６が設けられている。該戸当り枠１６は前記上下の雨戸案内部６ａ，６ｂの戸袋側とは反対側の端部に当接している。なお、図２においては、雨戸案内部６ａ，６ｂが２枚の雨戸５を配置可能な長さに設計されているが、これに限定されるものではなく、雨戸案内部６ａ，６ｂは開口部３の幅に応じた数枚の雨戸５を配置可能な長さに設計される。すなわち、雨戸装置１は雨戸２枚建てに限定されず、雨戸４枚建てや雨戸１０枚建て等であってもよい。
【００１６】
前記戸袋７は、図１、図２ないし図３に示すように、左右に配置される側板１７及び妻板１８と、上下に配置される屋根板１９及び底板（皿板ともいう。）２０とからなる戸袋本体７ａと、該戸袋本体７ａ内の前面部（室外面）に該前面部を覆うように装着された鏡板２１とからなる。側板１７、妻板１８、屋根板１９及び底板２０は、例えばアルミニウム合金の押出形材からなっている。
【００１７】
戸袋側の縦枠４ｃと妻板１８との間には戸袋７内から雨戸案内部６ａ，６ｂに雨戸５を出し入れするための出し入れ口２２が設けられている。また、妻板１８には戸袋７内から雨戸５を引き出すときに戸袋７内に手を挿入するための切欠部である戸出し口２３が形成されていると共に、該戸出し口２３を覆う戸出し蓋２４が回動開閉可能に設けられている。戸袋７から雨戸案内部６ａ，６ｂに引き出されて戸締り状態とされた最後（図２では２枚目）の雨戸５は、後端側が戸袋７内に残った引き残し部２５があり、この引き残し部２５により光漏れを防止している。
【００１８】
図４は案内部材の斜視図、図５は雨戸の要部を示す図で、（ａ）は側面図、（ｂ）は底面図、（ｃ）は（ａ）のＡ−Ａ線断面図、図６は戸袋内における雨戸の端部側の動きを説明する平面図、図７じゃ案内部材と円滑移動部材の作用を説明するための図で、（ａ）は円滑移動部材が案内部材上に乗った状態の図、（ｂ）は円滑移動部材が案内部材から離れた状態の図である。
【００１９】
戸袋７内から奥側の雨戸５を引き出す際に動きが軽く容易に引き出せるようにするために、図２〜図７に示すように、前記戸袋７の底板２０上には戸袋７の奥側隅部から戸閉め方向Ｂ及び室内方向Ｃに下降傾斜した案内面（傾斜面）２６ａ，２６ｂを有する案内部材２６が設けられ、前記雨戸５の戸袋側の戸車１１よりも端部には、雨戸５を戸袋７内から引き出す際に、戸袋側の戸車１１を浮かせた状態に保持すべく前記案内面２６ａ，２６ｂ上を円滑に移動する円滑移動部材２７が設けられている。円滑移動部材２７は、戸袋７内の奥側（室外方向側）に収納される雨戸５に設けられることが好ましいが、全ての雨戸５に設けられていてもよい。
【００２０】
前記案内部材２６は、例えばステンレス等の金属又は硬質のプラスチックにより形成されていることが好ましい。案内部材２７は、金属板により製作される場合、例えばプレス加工により成形されていてもよい。案内部材２６の大きさとしては、頂部の高さは７ｍｍ程度、左右方向の長辺が１５０ｍｍ程度、室内外方向の短辺が１００ｍｍ程度であることが好ましい。また、頂部２６ｈは尖っていてもよく、或いは図示例のように扁平になっていてもよい。案内面２６ａ，２６ｂは、雨戸５を収納する時に入れやすいように緩やかな斜度、１０°以下が好ましい。
【００２１】
円滑移動部材２６の円滑な移動を確保するために、隣り合う２つの案内面２６ａ，２６ｂが交わる稜線部２８は角のない曲面状に形成されていることが好ましい。案内部材２６は、戸袋７内の底板２０の上面に固定手段で固定される。該固定手段としては、例えば両面粘着テープが好ましいが、ネジ等であってもよい。
【００２２】
一方、円滑移動部材２７として、本実施の形態では図５にも示すように、任意の方向に回転可能な球体２９が採用されている。具体的には、円滑移動部材２７は、球体２９と、該球体２９の一部を下方に突出させた状態で球体２９を任意の方向に回転自在に支持する受け部３０ａを有する受け部材３０とから構成されている。該受け部材３０は、雨戸（戸体）５の下部例えば下框１２ｂの下向きに開口された凹部３１に固着具例えばネジ３２で取付けられる。球体２９としては、例えば鋼球のように金属製が好ましいが、硬質のプラスチック製であってもよい。
【００２３】
球体２９は、雨戸５の下部の戸袋側端部（後端部）に配置され、球体２９の下端部が雨戸５の下面よりも下方に突出し、且つ、戸車１１の下端部よりも上方に位置するように設定されている。これにより、図６ないし図７に示すように、戸袋７内の奥側に収納されている雨戸５は、雨戸５の後端部が円滑移動部材２７としての球体２９を介して案内部２６の案内面（斜面）２６ａ、２６ｂに乗り上げた状態にあり、戸袋側（後部側）の戸車１１が戸袋５内の底板２０の上面から浮き上がった状態にある。
【００２４】
この状態から、雨戸５の戸先側を戸袋７の出し入れ口２２に移動してから雨戸案内部６ａ，６ｂ側（同図の左方）へ引き出すと、球体２９が案内面（斜面）２６ａ，２６ｂを転がり、雨戸５の後端部が図６の矢印Ｄに示すような軌跡で雨戸案内部６ａ，６ｂの延長線上近傍まで円滑に移動するようになっている。その際に戸袋側の戸車１１が底板２０に接しないで室内方向Ｃに横移動するため、戸車１１が回転方向と直行する方向に底板２０上を擦って横移動する場合と比べて摩擦抵抗が十分に軽減される。なお、図２，図３において、３３は雨戸の収納時に雨戸の戸袋側端部を戸袋内の奥側へ案内する平面三角形状のガイドである。
【００２５】
以上の構成からなる雨戸装置１によれば、建物の躯体２の開口部３に設けられる上枠４ａ、下枠４ｂ及び左右の縦枠４ｃ，４ｄからなる枠４と、その上枠４ａ及び下枠４ｂの室外側に設けられ雨戸５を開閉移動可能に案内する上下の雨戸案内部６ａ，６ｂと、該雨戸案内部６ａ，６ｂの一端側の躯体２に設けられ複数枚の雨戸５を重ねて収納する戸袋７とを備え、前記雨戸５は下部に戸車１１を有し、前記戸袋７の底板２０上に戸袋５の奥側隅部から戸閉め方向Ｂ及び室内方向Ｃに下降傾斜した案内面２６ａ，２６ｂを有する案内部材２６を設け、前記雨戸５の戸袋側の戸車１１よりも端部に、雨戸５を戸袋７内から引き出す際に、戸袋側の戸車１１を浮かせた状態にすべく前記案内面２６ａ，２６ｂ上を円滑に移動する円滑移動部材２７を設けているため、通常の戸車を有する雨戸でありながら戸袋７内から奥側の雨戸５を引き出す際に動きが軽くなり容易に雨戸５を引き出すことが可能となり、操作性の向上が図れる。また、戸車１１が下部の雨戸案内部６ｂのレール１５上を走行する構造であるため、戸溝にごみが溜まっても雨戸５の開閉が阻害される恐れがなく、雨戸の開閉操作性を維持することができる。
【００２６】
一方、雨戸５を一枚ずつ戸袋７内に収納する場合には、順次雨戸５が戸袋７内の奥側に押し込まれて行く。このとき、奥側の雨戸５は、後端部が円滑移動部材２７の球体２９を介して案内部材２６の案内面２６ａ，２６ｂを上昇して行き、これに伴って戸袋側の戸車１１が底板２０の上面から浮き上がって奥側へ移動されるため、比較的軽い力で容易に雨戸５を収納して行くことができ、雨戸収納時における操作性の向上も図れる。
【００２７】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、円滑移動部材としては、球体に限定されず、例えば滑りやすい材質のもの例えば自己潤滑性を有する硬質のプラスチック等であってもよい。また、戸閉め方向及び室内方向に下降傾斜した案内面（傾斜面）を有する案内部材としては、案内面が戸閉め方向及び室内方向に２つの面で下降傾斜したものに限定されず、案内面が戸閉め方向及び室内方向に１つの面で下降傾斜（すなわち戸閉め方向及び室内方向の略中間方向例えば稜線部２８の方向に下降傾斜）したのものであってもよい。
【図面の簡単な説明】
【００２８】
【図１】本発明の実施の形態にかかる雨戸装置の概略的構成を示す縦断面図である。
【図２】同雨戸装置の概略的構成を示す横断面平面図である。
【図３】戸袋の縦断面図である。
【図４】案内部材を概略的に示す斜視図である。
【図５】雨戸の要部を示す図で、（ａ）は側面図、（ｂ）は底面図、（ｃ）は（ａ）のＡ−Ａ線断面図である。
【図６】戸袋内における雨戸の端部側の動きを説明する平面図である。
【図７】案内部材と円滑移動部材の作用を説明するための図で、（ａ）は円滑移動部材が案内部材上に乗った状態の図、（ｂ）は円滑移動部材が案内部材から離れた状態の図である。
【符号の説明】
【００２９】
１  雨戸装置
２  躯体
３  開口部
４  枠
４ａ  上枠
４ｂ  下枠
４ｃ，４ｄ  縦枠
５  雨戸
６ａ，６ｂ  雨戸案内部
７  戸袋
１１  戸車
２０  底板
２６  案内部材
２６ａ，２６ｂ  案内面
２７  円滑移動部材
【図１】
2006291640.tif 000003
【図２】
2006291640.tif 000004
【図３】
2006291640.tif 000005
【図４】
2006291640.tif 000006
【図５】
2006291640.tif 000007
【図６】
2006291640.tif 000008
【図７】
2006291640.tif 000009